(57)【要約】【課題】複数の基板による占有スペースを広げることなく、十分な絶縁距離を確保すること。【解決手段】画像形成装置は第一基板、第二基板および第一シールド部材を有する。第一シールド部材は、支持台と第一基板との間に配置される取付部であって、第一シールド部材を支持台に取り付けるための取付部を有する。第二基板と支持台とは絶縁距離を確保するために第一距離だけ離されている。第一基板と取付部との間に絶縁距離が確保されるよう、第一基板と支持台とが第一距離よりも長い第二距離だけ離されている。【選択図】  図５
2020106623.tif 000002
【特許請求の範囲】
【請求項１】
交流電源から交流を供給される第一基板と、
前記第一基板から交流を供給される第二基板と、
前記第一基板および前記第二基板を支持する金属製の支持台と、
前記第二基板と前記第一基板との間をシールドする金属製の第一シールド部材と、を有し、
前記第一シールド部材は、前記支持台と前記第一基板との間に配置される取付部であって、前記第一シールド部材を前記支持台に取り付けるための取付部を有し、
前記第二基板と前記支持台とは絶縁距離を確保するために第一距離だけ離されており、
前記第一基板と前記取付部との間に絶縁距離が確保されるよう、前記第一基板と前記支持台とが前記第一距離よりも長い第二距離だけ離されていることを特徴とする画像形成装置。
【請求項２】
前記取付部を前記支持台に固定するための金属製の固定具を有し、
前記第一基板と前記固定具との間に絶縁距離が確保されるよう、前記第一基板と前記支持台とが前記第二距離だけ離されていることを特徴とする請求項１に記載の画像形成装置。
【請求項３】
前記固定具はネジであることを特徴とする請求項２に記載の画像形成装置。
【請求項４】
前記第二距離と前記第一距離との差は、前記ネジの頭の厚みと前記取付部の厚みとの和以上であることを特徴とする請求項３に記載の画像形成装置。
【請求項５】
前記第一基板の第一面に実装されたリード部品をさらに有し、
前記リード部品のリードの端部は前記第一基板の第二面に半田付けされており、
前記第一基板に実装された前記リード部品の前記リードの端部と前記ネジとの間に絶縁距離が確保されるよう、前記第一基板と前記支持台とが前記第二距離だけ離されていることを特徴とする請求項３または４に記載の画像形成装置。
【請求項６】
前記第一シールド部材は、
前記取付部と接続された第一シールド壁と、
前記第一シールド壁と平行に配置された第二シールド壁と、
前記第一シールド壁と前記第二シールド壁とを接続し、前記第二基板と平行に配置された天板と、を有することを特徴とする請求項１ないし５のいずれか一項に記載の画像形成装置。
【請求項７】
前記第一基板から前記第二基板へ前記交流を供給する第一ケーブルをさらに有し、
前記第一シールド部材が前記支持台に固定された後に前記第一ケーブルを接続するために、前記第一シールド部材の前記天板と前記第一シールド壁とには切欠きが設けられていることを特徴とする請求項６に記載の画像形成装置。
【請求項８】
前記第一基板に実装される電気部品のうち、前記支持台を基準とした高さが最も高い部品の高さは、前記支持台から前記天板までの高さよりも低いことを特徴とする請求項６または７に記載の画像形成装置。
【請求項９】
前記画像形成装置を制御する第三基板をさらに有し、
前記第二基板は、前記第一基板から供給された交流を直流に変換して前記第三基板に供給する変換回路を有し、
前記第二シールド壁は、前記第二基板と前記第三基板との間に配置されていることを特徴とする請求項６ないし８のいずれか一項に記載の画像形成装置。
【請求項１０】
前記変換回路はスイッチング素子を有していることを特徴とする請求項９に記載の画像形成装置。
【請求項１１】
前記支持台は、
前記第一基板および前記第二基板と平行に配置された底面と、
前記第二基板と前記第三基板との間に配置され、前記底面に接続された第一側壁とを有し
前記第二シールド壁は前記第一側壁に固定されていることを特徴とする請求項９または１０に記載の画像形成装置。
【請求項１２】
前記支持台は、前記底面と前記第一側壁とに接続された第二側壁をさらに有し、
前記第二側壁は、前記底面と前記第一側壁との両方に直交していることを特徴とする請求項１１に記載の画像形成装置。
【請求項１３】
前記支持台を固定されるフレームをさらに有し、
前記支持台は、前記フレームを構成する複数の辺のうち少なくとも一つの辺の近くに寄せて配置されており、
前記支持台のうち、前記第一側壁に対向する側であって、前記一つの辺と平行な側は開放されていることを特徴とする請求項１２に記載の画像形成装置。
【請求項１４】
前記支持台のうち、前記第二側壁に対向する側は開放されていることを特徴とする請求項１３に記載の画像形成装置。
【請求項１５】
前記第二基板から前記第三基板へ前記直流を供給する第二ケーブルをさらに有し、
前記第一シールド部材の前記天板は、前記第二基板に設けられた前記第二ケーブルを接続されるコネクタを覆わないように構成されていることを特徴とする請求項１１ないし１４のいずれか一項に記載の画像形成装置。
【請求項１６】
前記支持台は、金属製の第二シールド部材として機能するように構成されていることを特徴とする請求項１ないし１５のいずれか一項に記載の画像形成装置。
【発明の詳細な説明】
【技術分野】
【０００１】
本発明は画像形成装置などの電子機器に関する。
【背景技術】
【０００２】
画像形成装置は交流負荷と直流負荷とを用いて画像を形成する。そのため、商用電源から供給された交流を直流に変換する電源基板が必要となる。電源基板の小型化や効率の改善の観点からスイッチング素子を用いたスイッチング電源が電源基板として採用される。特許文献１によればシールド板金により電源基板を覆うことが提案されている。シールド板金はスイッチングノイズを低減することができるだろう。
【先行技術文献】
【特許文献】
【０００３】
【特許文献１】特開２０１７−４４９８６号公報
【発明の概要】
【発明が解決しようとする課題】
【０００４】
電源基板は、交流負荷に交流を供給するＡＣ入力回路と、直流負荷に直流を供給するＡＣ／ＤＣ変換回路とを有している。ＡＣ入力回路の回路構成は画像形成装置の仕様に依存するため、仕様ごとにＡＣ入力回路は設計される。一方で、ＡＣ／ＤＣ変換回路は、異なる仕様の画像形成装置間で共用可能である。つまり、ＡＣ／ＤＣ変換回路は、仕様によらず、共通に設計される。そのため、ＡＣ入力回路とＡＣ／ＤＣ変換回路はそれぞれ異なる基板に実装され、仕様に応じて基板の組み合わせが選択される。これは電源基板の分離と呼ばれる。以下では、ＡＣ入力回路を有する回路基板は入力基板と呼ばれ、ＡＣ／ＤＣ変換回路を有する回路基板は引き続き電源基板と呼ばれる。
【０００５】
電源基板において発生するスイッチングノイズを低減するために、入力基板と電源基板との間にシールド板金が配置されてもよい。また、入力基板から電源基板に供給される交流にノイズが混入することを低減するために、入力基板と電源基板とは近接して配置される。つまり、シールド板金は、入力基板と電源基板の間の非常に狭い空間に配置されなければならない。シールド板金を支持するためには入力基板の基板面と平行に延在する脚が必要となる。この脚は、シールド板金をＬ字に曲げることで形成されてもよい。つまり、この脚は、入力基板の直下に潜り込むように存在し、画像形成装置のフレームなどにネジなどで固定され、グランド（ＧＮＤ）に対して接地される。したがって、安全規格を満たすために、入力基板とグランド（シールド板金の脚）との間には、十分な絶縁距離が確保されなければならない。入力基板と電源基板とを離して設けることで、シールド板金の脚が入力基板の下に潜り込まないようになるため、十分な絶縁距離が確保される。しかし、この場合、入力基板と電源基板との間にあるスペースが広がってしまうため、入力基板と電源基板とによる占有スペースが広がってしまう。そこで、本発明は、複数の基板による占有スペースを広げることなく、十分な絶縁距離を確保することを目的とする。
【課題を解決するための手段】
【０００６】
本発明は、たとえば、
交流電源から交流を供給される第一基板と、
前記第一基板から交流を供給される第二基板と、
前記第一基板および前記第二基板を支持する金属製の支持台と、
前記第二基板と前記第一基板との間をシールドする金属製の第一シールド部材と、を有し、
前記第一シールド部材は、前記支持台と前記第一基板との間に配置される取付部であって、前記第一シールド部材を前記支持台に取り付けるための取付部を有し、
前記第二基板と前記支持台とは絶縁距離を確保するために第一距離だけ離されており、
前記第一基板と前記取付部との間に絶縁距離が確保されるよう、前記第一基板と前記支持台とが前記第一距離よりも長い第二距離だけ離されていることを特徴とする画像形成装置が提供される。
【発明の効果】
【０００７】
本発明によれば、複数の基板による占有スペースを広げることなく、十分な絶縁距離を確保することが可能となる。
【図面の簡単な説明】
【０００８】
【図１】画像形成装置の概略断面図。
【図２】複数の回路基板の配置説明する斜視図。
【図３】電源基板と入力回路基板の平面図。
【図４】基板台に対する電源基板の高さと入力回路基板の高さを説明する側面図。
【図５】基板台に対する電源基板の高さと入力回路基板の高さを説明する側面図。
【発明を実施するための形態】
【０００９】
［画像形成装置］
図１は中間転写方式の画像形成装置１を示している。画像形成装置１は、単色画像を形成する画像形成装置であってもよいが、ここでは複数の色剤を混色して多色画像を形成する電子写真方式の画像形成装置である。画像形成装置１は、イエロー（Ｙ）、マゼンタ（Ｍ）、シアン（Ｃ）、ブラック（ＢＫ）といった四色の現像剤を使用する。図１において参照番号の末尾には色を示す文字が付与されているが、四色に共通する事項が説明される際にはこの文字が省略される。
【００１０】
感光ドラム６Ｃ、６Ｍ、６Ｙ、６ＢＫはそれぞれ等間隔に配置され、静電潜像やトナー画像を担持する像担持体である。一次帯電器２は像担持体を一様に帯電させる帯電手段の一例である。一次帯電器２は帯電電圧を利用して感光ドラム６の表面を一様に帯電させる。走査光学装置３は像担持体の表面においてレーザ光を走査することで静電潜像を形成する走査手段の一例である。走査光学装置３は、入力画像に基づいて各々変調された光束（レーザビーム）Ｌを感光ドラム６に向けて出射する。光束Ｌは感光ドラム６の表面に静電潜像を形成する。現像器４はそれぞれ現像電圧を印加されたスリーブやブレードを通じて、シアン、マゼンダ、イエロー、ブラックの現像剤を静電潜像に付着させる。これにより静電潜像が現像され、現像剤像（トナー画像）が形成される。
【００１１】
給送ローラ８は給送トレイ７に収容されているシートＳを１枚ずつ給送する。分離ローラ９は、給送ローラ８により給送された複数のシートＳから一枚のシートＳを分離して搬送路へ送り出す。搬送ローラ１６は画像の書き出しタイミングに同期をとってシートＳを二次転写部に向けて送り出す。
【００１２】
一次転写ローラ５は、中間転写ベルト１０に対して、感光ドラム６に担持されているトナー画像を転写する。一次転写ローラ５に印加された一次転写電圧は中間転写ベルト１０へのトナー画像の転写を促進する。中間転写ベルト１０は中間転写体として機能している。駆動ローラ１１は中間転写ベルト１０を回転させるローラである。二次転写部は二次転写ローラ１４を有している。二次転写部において、中間転写ベルト１０と二次転写ローラ１４とがシートＳを挟持しながら搬送することで、中間転写ベルト１０上に担持されている多色のトナー画像がシートＳに転写される。二次転写電圧はシートＳへのトナー画像の転写を促進する。その後、シートＳは定着装置１２へ搬送される。定着装置１２はシートＳに担持されているトナー画像に対して圧力と熱を加え、定着させる。排出ローラ１３は、画像の形成されたシートＳを排出する。なお、一次転写ローラ５、中間転写ベルト１０および二次転写ローラ１４はトナー画像をシート上に転写する転写手段の一例である。定着装置１２はシート上に担持されているトナー画像を定着させる定着手段の一例である。
【００１３】
［基板配置］
図２ないし図５を用いることで、画像形成装置１を背面から見たときの複数の基板の配置が説明される。図２や図３が示すように、入力基板２２、電源基板２１および制御基板４０は、その基板面が本体フレーム３８の背面に対してほぼ平行になるように固定されている。
【００１４】
入力基板２２は、商用電源２０から入力および供給される交流を受け取るための電源コネクタ２８を有している。入力基板２２は、商用電源２０から供給された交流を電源基板２１や定着装置１２などの交流負荷に供給する。入力基板２２には、メインスイッチと連動したリレーや、定着装置１２に供給される交流を制御するためのトライアック、ラインフィルタなどが実装されうる。入力基板２２に設けられた出力コネクタ２７ａは交流電圧を電源基板２１に出力するためのコネクタである。
【００１５】
電源基板２１は、入力基板２２から供給された交流を受け取るための入力コネクタ２６ａを有している。入力コネクタ２６ａと出力コネクタ２７ａとはＡＣケーブル３４を介して接続されている。入力基板２２と電源基板２１との距離を短くすることで、ＡＣケーブル３４の長さが短くなり、ＡＣケーブル３４にノイズが混入しにくくなる。入力基板２２と電源基板２１との間の余分なスペースが削減されるため、入力基板２２と電源基板２１とによる占有スペースも削減される。電源基板２１は入力基板２２から供給される交流電圧を直流電圧に変換し、直流電圧を各直流負荷や制御基板４０へ供給する。図３が示すように、ＡＣ／ＤＣ変換回路１００は電源基板２１に設けられており、スイッチング素子１０１を用いて、入力コネクタ２６ａから入力された交流を直流に変換し、直流を出力コネクタ２７ｂから出力する。電源基板２１上に設けられた出力コネクタ２７ｂは、制御基板４０上に設けられた入力コネクタ２６ｂに対してＤＣケーブル４３を介して接続されている。つまり、制御基板４０はＤＣケーブル４３を介して直流電圧を供給される。
【００１６】
入力基板２２と電源基板２１は板金製の基板台２３上に固定されている。図２や図３が示すように、入力基板２２はＹ軸方向において電源基板２１の下側に配置されており、電源基板２１はＹ軸方向において入力基板２２の上側に配置されている。
【００１７】
入力基板２２と電源基板２１はそれぞれグランド電位を確保しなければならない。そこで、電源基板２１は四つのネジ５３ａ、５３ｂ、５３ｃ、５３ｄにより基板台２３に固定されている。入力基板２２は四つのネジ５３ｅ、５３ｆ、５３ｇ、５３ｈにより基板台２３に固定されている。参照符号の末尾に付与されている小文字のアルファベットは複数の部材を区別するために付与されており、説明の便宜上、省略されることがある。ネジ５３の数と位置は任意である。ネジ５３は金属製であり、基板台２３に対して電気的に接続されている。これにより、入力基板２２と電源基板２１はそれぞれグランド電位を確保する。基板台２３は接地されており、基板台２３の電位はグランド電位に一致する。
【００１８】
基板台２３は、底面７０、上側壁７１および左側壁７２を有しているが、天板、下側壁および右側壁が存在しない不完全な箱形をしている。なお、上側壁７１および左側壁７２は板金をＬ字に折り曲げることで作成されてもよい。底面７０は本体フレーム３８と平行であるが、上側壁７１および左側壁７２は本体フレーム３８に対して垂直になっている。基板台２３は取付部３６ａ、３６ｂを有している。取付部３６ａはネジ５３ｉ、５３ｊにより本体フレーム３８に固定されている。取付部３６ｂはネジ５３ｋ、５３ｌにより本体フレーム３８に固定されている。上側壁７１はワイヤサドル４４ａを有し、左側壁７２はワイヤサドル４４ｂを有している。ワイヤサドル４４はＤＣケーブル４３を規制するために設けられている。
【００１９】
電源基板２１の上側面、下側面および上面は、板金製のシールド部材２４によって覆われている。シールド部材２４は、第一シールド壁８１と、第二シールド壁８２と、天板８３とを有している。第一シールド壁８１と第二シールド壁８２はお互いに平行であるが、これらは天板８３に対して直交している。シールド部材２４の第二シールド壁８２は、基板台２３の上側壁７１にネジ５３ｍ、５３ｎにより固定されている。
【００２０】
図３が示すように、シールド部材２４の第一シールド壁８１が入力基板２２側へＬ字に折り曲げられることで、脚として機能する取付部３６ｃが形成されている。取付部３６ｃは、ネジ５３ｏ、５３ｂにより基板台２３に固定されている。なお、基板台２３へのシールド部材２４の取り付けは、入力基板２１よりも先に行われる。
【００２１】
上述したように、電源基板２１と入力基板２２の配置スペースは制限されるため、電源基板２１と入力基板２２は可能な限り近接している。可能な限りとは、第一シールド壁８１が電源基板２１と入力基板２２との両方に接触せず、かつ、第一シールド壁８１が電源基板２１と入力基板２２とのそれぞれの一次回路に対して十分な絶縁距離を確保することをいう。絶縁距離とは、安全規格により規定される絶縁距離である。
【００２２】
図３が示すように、電源基板２１と入力基板２２とが近接しているため、取付部３６ｃは、入力基板２２の下方に潜り込むように配置されている。つまり、取付部３６ｃと入力基板２２とはＺ軸方向において少なくとも一部で重なっている。
【００２３】
このように、シールド部材２４が電源基板２１の二つの側面と上面を覆うことで、電源基板２１から画像形成装置１の外部へ放出されるノイズと、電源基板２１から入力基板２２のグランド（ＧＮＤ）へ誘導されるノイズとが効率よく低減される。
【００２４】
［絶縁距離の確保］
図４は、図３に示された矢印９０が示す方向からシールド部材２４、電源基板２１および入力基板２２などを見た側面図である。電源基板２１や入力基板２２には多くの電流が流れる。そのため、リード部品と呼ばれる電気部品５５ａ、５５ｂが採用される。電気部品５５ａ、５５ｂはそれぞれリード５６ａ、５６ｂを有している。電気部品５５ａは電源基板２１の部品面９１ａ側に実装される。電源基板２１には部品面９１ａから半田面９２ａへ貫通したスルーホールが設けられている。リード５６ａは部品面９１ａからスルーホールに挿し通され、半田面９２ａ側に突き出る。リード５６ａの端部は半田面９２ａ側に設けられたランド（配線パターン）に半田付けされる。電気部品５５ｂは入力基板２２の部品面９１ｂ側に実装される。入力基板２２には部品面９１ｂから半田面９２ｂへ貫通したスルーホールが設けられている。リード５６ｂは部品面９１ｂからスルーホールに挿し通され、半田面９２ｂ側に突き出る。リード５６ｂの端部は半田面９２ｂ側に設けられたランドに半田付けされる。
【００２５】
電気部品５５のリード５６には商用電源２０から供給された交流電圧が印加される。したがって、リード５６の先端部はグランドから十分に離間していなければならない。図４が示すように、電源基板２１に実装されている電気部品５５ａのリード５６ａと基板台２３との間の空間距離として距離Ｔが確保されている。
【００２６】
一方で、入力基板２２に実装された電気部品５５ｂのリード５６ｂと基板台２３との間の空間距離として距離Ｔが確保されている。しかし、リード５６ｂの直下には、取付部３６ｃとネジ５３ｐが存在する。取付部３６ｃの厚みとネジ５３ｐの頭の厚みとの和はｔである。したがって、リード５６ｂの先端部とネジ５３ｐとの間の距離はＴ'である。ここでＴ'＝Ｔ−ｔであるため、距離Ｔ'は距離Ｔよりも短い。距離Ｔ、Ｔ'は十分な絶縁距離に設定されなければならない。仮に、距離Ｔ'が十分な絶縁距離でない場合、入力基板２２とネジ５３ｐの頭との間の距離を広げる必要がある。入力基板２２とネジ５３ｐの頭との間の距離を広げる方法としては、入力基板２２をＹ軸方向にずらす方法と、入力基板２２をＺ軸方向にずらす方法とがある。入力基板２２をＹ軸方向にずらす方法は、電源基板２１と入力基板２２とによるＸＹ方向における占有スペースを拡大させてしまう点で、入力基板２２をＺ軸方向にずらす方法に対して不利である。
【００２７】
図５は、図３に示された矢印９０が示す方向からシールド部材２４、電源基板２１および入力基板２２などを見た側面図である。ここでは、入力基板２２をＺ軸方向にずらす方法が説明される。上述したように従来の電源基板は、交流入力回路とＡＣ／ＤＣ変換回路とを有している。従来の電源基板の配置スペースに対して、電源基板２１と入力基板２２とを配置する場合、Ｙ軸方向には十分な余裕が存在しない。つまり、入力基板２２をＺ軸方向にずらす方法は、配置スペースの観点からも、入力基板２２をＹ軸方向にずらす方法よりも有利である。
【００２８】
図５が示すように、入力基板２２は、電源基板２１と比較して、基板台２３からさらに距離ｔだけＺ軸方向に離されている。その結果、リード５６ｂの先端部とネジ５３ｐとの間の距離は、十分な絶縁距離である距離Ｔになる。
【００２９】
従来の電源基板についてのＺ軸方向のスペースは、電源基板に実装される電気部品のうちで一番背が高い部品に注目して、設計されてきた。背が高い部品としては、たとえば、放熱対策の放熱フィンや電解コンデンサ、チョークコイルなどがある。これらは、ＡＣ／ＤＣ変換回路を構成する電気部品である。一方、交流入力回路を構成する電気部品の背は、ＡＣ／ＤＣ変換回路を構成する電気部品の背よりも低い。つまり、入力基板２２に実装される電気部品の背は電源基板２１に実装される電気部品の背よりも低い。これは、入力基板２２のＺ軸方向における余裕は電源基板２１のＺ軸方向における余裕が大きいことを意味する。よって、入力基板２２は、電源基板２１と比較して、Ｚ軸方向へ離間できる余裕がある。図５が示すように、入力基板２２を距離ｔだけ追加的に離間させても、電気部品５５ｂの頭はシールド部材２４の天板８３よりも低い。
【００３０】
このようにＺ軸方向における入力基板２２の位置を電源基板２１と比較して距離ｔだけ追加的に離間することで、予め決められた収納スペースを広げることなく、十分な絶縁距離Ｔを確保すること可能となる。
【００３１】
［発明の効果と変形例］
図２などが示すように入力基板２２は交流電源から交流を供給される第一基板の一例である。電源基板２１は第一基板から交流を供給される第二基板の一例である。基板台２３は、第一基板および第二基板を支持する金属製の支持台の一例である。シールド部材２４は第二基板と第一基板との間をシールドする金属製の第一シールド部材の一例である。取付部３６ｃは、第一シールド部材に設けられた取付部の一例である。図３が示すように、取付部３６ｃの一部は、支持台と第一基板との間に配置されてもよい。つまり、取付部３６ｃの一部は、第一基板の下方に潜り込むように配置される。取付部３６ｃは、第一シールド部材を支持台に取り付けるために利用される。図４や図５が示すように、第二基板と支持台とは絶縁距離を確保するために第一距離（例：Ｔ）だけ離されている。図５が示すように、第一基板と取付部との間に絶縁距離が確保されるよう、第一基板と支持台とが第一距離よりも長い第二距離（例：Ｔ＋ｔ）だけ離されていてもよい。なお、第一距離と第二距離とは、支持台の法線方向（Ｚ軸方向）における距離である。このように、取付部３６ｃを配置し、かつ、第一基板と支持台との間を十分に離すことで、第一基板と第二基板とによる占有スペースを広げることなく、十分な絶縁距離が確保される。
【００３２】
図３ないし図５が示すように、ネジ５３ｐ、５３ｏは取付部を支持台に固定するための金属製の固定具の一例である。図５が示す例では、第一基板と金属製の固定具との間に絶縁距離が確保されるよう、第一基板と支持台とが第二距離だけ離されている。つまり、第一基板と金属製の固定具との間の距離は概ね距離Ｔだけ離される。このように、金属製の固定具が採用される場合、第一基板と支持台とが第二距離だけ離されることで、金属製の固定具に対して絶縁距離が確保される。なお、固定具はネジ５３ｐ、５３ｏであってもよい。ネジ５３ｐ、５３ｏを金属製とすることで、第一シールド部材（シールド部材２４）をグランドに対してしっかりと固定し、かつ両者を電気的に導通させやすくなる。ネジ５３ｐ、５３ｏは金属製のリベットなどの締結具に置換されてもよい。なお、ネジ５３ｐ、５３ｏが樹脂などの不導体によるファスナーに置換される場合、第二距離を短縮することが可能となろう。
【００３３】
図５が示すように、第二距離と第一距離との差は、ネジの頭の厚みと取付部の厚みとの和以上であってもよい。これにより、ネジ５３ｐ、５３ｏが金属製である場合であっても、十分な絶縁距離が確保されるようになろう。
【００３４】
図４や図５が示すように、電気部品５５ｂは、第一基板の第一面に実装されたリード部品の一例である。リード部品のリードの端部は第一基板の第二面（例：半田面９２ｂ）に半田付けされてもよい。この場合、第一基板に実装されたリード部品のリードの端部とネジとの間に絶縁距離が確保されるよう、第一基板と支持台とが第二距離だけ離される。このような配置を採用することで、第一基板にリード部品が採用される場合であっても、リードの端部とネジとの間に十分な絶縁距離が確保される。
【００３５】
図２ないし図５が示すように、第一シールド部材は、取付部と接続された第一シールド壁８１と、第一シールド壁８１と平行に配置された第二シールド壁８２とを有してもよい。さらに、第一シールド部材は、第一シールド壁８１と第二シールド壁８２とを接続し、第二基板と平行に配置された天板８３とを有してもよい。これにより、第一シールド部材によるシールド効果が高まる。
【００３６】
図２が示すように、ＡＣケーブル３４は第一基板から第二基板へ交流を供給する第一ケーブルの一例である。図２が示すように、第一シールド部材が支持台に固定された後に第一ケーブルを接続するために、第一シールド部材の天板８３と第一シールド壁８１とには切欠きが設けられていてもよい。これにより、第一ケーブルを接続しやすくなる。また、第一ケーブルのケーブル長を削減できるようになり、その結果、第一ケーブルにノイズが混入しにくくなる。
【００３７】
図４や図５が示すように、第一基板に実装される電気部品のうち、支持台を基準とした高さが最も高い部品の高さは、支持台から天板８３までの高さよりも低くてもよい。これにより、Ｚ軸方向に設けられた第一基板および第二基板の配置スペースを有効に活用しつつ、第一基板についての絶縁距離が確保されるようになる。
【００３８】
図２が示すように、制御基板４０は、画像形成装置１を制御する第三基板の一例である。第二基板は、第一基板から供給された交流を直流に変換して第三基板に供給する変換回路（例：ＡＣ／ＤＣ変換回路１００）を有してもよい。第二シールド壁８２は、第二基板と第三基板との間に配置されている。これにより、第二基板の変換回路で発生しうるノイズが低減されるため、第三基板はノイズの影響を受けにくくなる。
【００３９】
変換回路はスイッチング素子１０１を有していてもよい。電界効果トランジスタなどのスイッチング素子１０１を有するＡＣ／ＤＣ変換回路１００は変換効率に優れているが、スイッチングノイズを発生させる。したがって、第一シールド部材は、スイッチングノイズを低減することに役に立つであろう。
【００４０】
支持台は、第一基板および第二基板と平行に配置された底面７０と、第二基板と第三基板との間に配置され、底面に接続された第一側壁（例：上側壁７１）とを有してもよい。第二シールド壁８２は第一側壁に固定されていてもよい。これにより、第二シールド壁と第一側壁とが電気的に導通し、シールド効果が向上しよう。
【００４１】
図２が示すように、支持台は、底面７０と第一側壁とに接続された第二側壁（例：左側壁７２）をさらに有してもよい。第二側壁は、底面７０と第一側壁との両方に直交していてもよい。
【００４２】
図２が示すように、本体フレーム３８は支持台を固定されるフレームの一例である。支持台は、フレームを構成する複数の辺のうち少なくとも一つの辺（例：図２に示された本体フレーム３８の下方の辺）の近くに寄せて配置されていてもよい。図２が示すように、支持台のうち、第一側壁（例：上側壁７１）に対向する側であって、一つの辺と平行な側（例：下側）は開放されていてもよい。図２が示すように、本体フレーム３８の下方には回路基板が存在しないため、側壁が省略されてもよい。これにより、支持台を形成する板金の面積が削減されるため、支持台の製造コストが削減される。
【００４３】
同様に、支持台のうち、第二側壁（例：左側壁７２）に対向する側（例：右側）は開放されていてもよい。図２が示すように、本体フレーム３８の右方には回路基板が存在しないため、側壁が省略されてもよい。これにより、支持台を形成する板金の面積が削減されるため、支持台の製造コストが削減される。
【００４４】
図２が示すように、ＤＣケーブル４３は、第二基板から第三基板へ直流を供給する第二ケーブルの一例である。図２が示すように、第一シールド部材の天板８３は、第二基板に設けられた第二ケーブルを接続されるコネクタを覆わないように構成されていてもよい。これにより、第二ケーブルの長さを短くできるため、第二ケーブルにノイズが混入しにくくなる。また、天板８３が邪魔になりにくいため、第二ケーブルを第二基板と第三基板とに接続しやすくなる。
【００４５】
図２などが示すように、支持台は金属製の第二シールド部材として機能してもよい。これにより、第二基板に起因したノイズがさらに低減されるようになる。
【符号の説明】
【００４６】
１...画像形成装置、２１...入力基板、２２...電源基板、２３...基板台、２４...シールド部材、３６Ｃ...取付部
【図１】
2020106623.tif 000003
【図２】
2020106623.tif 000004
【図３】
2020106623.tif 000005
【図４】
2020106623.tif 000006
【図５】
2020106623.tif 000007